(57)【要約】【課題】測定結果に影響を与えることなく情報出力機能を発揮させることのできる電子体温計を提供する。【解決手段】電子体温計１の本体部１１０には、測温部３００が設けられる側と反対側の端部に測定の開始および終了を指示するためのＯＮ／ＯＦＦスイッチ１０２Ａと、側面に情報出力機能としての音声出力を指示するためのアナウンススイッチ１０２Ｂとが設けられる。ＯＮ／ＯＦＦスイッチ１０２Ａの操作方向は本体部１１０の軸方向に一致または略一致し、アナウンススイッチ１０２Ｂの操作方向は側面に対して直角の方向に一致する。すなわち、これらスイッチは、それぞれの操作方向が一致せずに交差するように設けられる。【選択図】図１
2012063304.tif 000002
【特許請求の範囲】
【請求項１】
内部中空のハウジングを備え、
前記ハウジングは、本体部と、使用者の測定部位の温度を測定するための測温部が先端側に設けられるプローブ部とを有し、当該測温部には、前記温度を検出するための温度センサが配置され、
前記プローブ部は、前記本体部から長手方向に延在して前記本体部に対して前記測温部を支持し、
前記ハウジングに設けられる、電源オフを指示するための第１のスイッチと、
前記ハウジングに設けられる、情報出力を指示するための第２のスイッチと、
前記ハウジングに設けられる、情報を出力するための出力部とをさらに備え、
前記第２のスイッチの操作方向は前記長手方向と交差する方向である、電子体温計。
【請求項２】
前記第１のスイッチの操作方向が前記本体部の軸方向と一致する、請求項１に記載の電子体温計。
【請求項３】
前記第１のスイッチは前記ハウジングの、前記測温部とは異なるもう一方の端部に設けられる、請求項２に記載の電子体温計。
【請求項４】
前記第１のスイッチ、前記第２のスイッチ、および前記出力部に接続された、前記ハウジング内に設けられる制御装置をさらに備え、
前記制御装置は、前記測温部で温度を検出するための準備の完了が検出されるよりも以前に前記第２のスイッチによる指示入力を受け付けたときには前記出力部から前記情報出力を行なわせない、請求項１〜３のいずれかに記載の電子体温計。
【請求項５】
前記第１のスイッチ、前記第２のスイッチ、前記出力部、および前記温度センサに接続された、前記ハウジング内に設けられる制御装置をさらに備え、
前記制御装置は、測定用のプログラムを実行することで前記センサからの信号の入力を受け付けて前記測定部位の温度を算出し、出力するための処理を実行し、
前記制御装置は、前記処理を開始していない状態において、前記第１のスイッチおよび前記第２のスイッチのいずれによる指示入力を受け付けたときにも、前記処理を開始する、請求項１〜３のいずれかに記載の電子体温計。
【請求項６】
前記出力部はスピーカを含み、
前記第２のスイッチは音声出力を指示するためのスイッチである、請求項１〜３のいずれかに記載の電子体温計。
【請求項７】
前記第２のスイッチは、前記出力部から前記測温部までの間に設けられる、請求項１〜３のいずれかに記載の電子体温計。
【発明の詳細な説明】
【技術分野】
【０００１】
この発明は電子体温計に関し、特に、情報出力機能のためのスイッチを有する電子体温計に関する。
【背景技術】
【０００２】
電子体温計を用いて体温を測定する際には一般的には該体温計を腋下や舌下に挟む。そのため、その体勢では電子体温計の表示部が見難く、測定中であるのか測定が終了しているのかがわかり難い。
【０００３】
そこで、たとえば特開昭６０−１９８４２４号公報（以下、特許文献１）に開示されているような、音声機能を用いて測定結果を報知する電子体温計を用いることで、測定中の体勢であっても測定中であるのか測定が終了しているのかを音声で知ることが可能となる。
【０００４】
音声で測定結果を報知する電子体温計を用いると、特開２００２−２７７３３２号公報（以下、特許文献２）に開示されているように、電子体温計に、測定開始・終了を指示するＯＮ／ＯＦＦスイッチに加えて、音声による報知機能を発揮させるためのスイッチ（機能スイッチ）を設けることが考えられる。そして、測定中に該機能スイッチの操作を受け付けることで、測定中であればその旨を報知し、測定が終了していれば測定結果を報知するようにすればよい。
【先行技術文献】
【特許文献】
【０００５】
【特許文献１】特開昭６０−１９８４２４号公報
【特許文献２】特開２００２−２７７３３２号公報
【発明の概要】
【発明が解決しようとする課題】
【０００６】
しかしながら、特許文献２に図示されているように、ＯＮ／ＯＦＦスイッチと機能スイッチとが操作方向を同じくして電子体温計のハウジングに並んで設けられると、機能スイッチを操作する際に誤ってＯＮ／ＯＦＦスイッチを操作してしまう場合がある、という問題がある。
【０００７】
また、体温測定中に操作することを前提とした機能スイッチの場合、その操作方向が電子体温計の本体部やプローブの長手方向と同じような方向になると、測定中の機能スイッチの操作によって電子体温計がプローブの長手方向にずれ、腋下や舌下などの測定部位から先端の測定部がずれる場合がある。そのため、測定中に機能スイッチを操作することによって測定結果に影響する場合がある、という問題がある。
【０００８】
本発明はこのような問題に鑑みてなされたものであって、測定結果に影響を与えることなく情報出力機能を発揮させることのできる電子体温計を提供することを目的の一つとしている。また、誤操作を抑えつつ情報出力機能を発揮させることのできる電子体温計を提供することを目的の一つとしている。
【課題を解決するための手段】
【０００９】
上記目的を達成するために、本発明のある局面に従うと、電子体温計は内部中空のハウジングを備え、ハウジングは、本体部と、使用者の測定部位の温度を測定するための測温部が先端側に設けられるプローブ部とを有し、当該測温部には、温度を検出するための温度センサが配置される。プローブ部は、本体部から長手方向に延在して本体部に対して測温部を支持する。電子体温計は、ハウジングに設けられる、電源オフを指示するための第１のスイッチと、ハウジングに設けられる、情報出力を指示するための第２のスイッチと、ハウジングに設けられる、情報を出力するための出力部とをさらに備える。第２のスイッチの操作方向は、長手方向と交差する方向である。
【００１０】
好ましくは、第１のスイッチの操作方向が本体部の軸方向と一致する。
より好ましくは、第１のスイッチはハウジングの、測温部とは異なるもう一方の端部に設けられる。
【００１１】
好ましくは、電子体温計は、第１のスイッチ、第２のスイッチ、および出力部に接続された、ハウジング内に設けられる制御装置をさらに備える。制御装置は、測温部で温度を検出するための準備の完了が検出されるよりも以前に第２のスイッチによる指示入力を受け付けたときには、出力部から情報出力を行なわせない。
【００１２】
好ましくは、電子体温計は、第１のスイッチ、第２のスイッチ、出力部、および温度センサに接続された、ハウジング内に設けられる制御装置をさらに備える。制御装置は、測定用のプログラムを実行することでセンサからの信号の入力を受け付けて測定部位の温度を算出し、出力するための処理を実行し、制御装置は、処理を開始していない状態において、第１のスイッチおよび第２のスイッチのいずれによる指示入力を受け付けたときにも、処理を開始する。
【００１３】
好ましくは、出力部はスピーカを含み、第２のスイッチは音声出力を指示するためのスイッチである。
【００１４】
好ましくは、第２のスイッチは、出力部から測温部までの間に設けられる。
【発明の効果】
【００１５】
この発明によると、電子体温計において、測定結果に影響を与えることなく情報出力機能を発揮させることができる。また、電子体温計において、誤操作を抑えつつ情報出力機能を発揮させることができる。
【図面の簡単な説明】
【００１６】
【図１】本実施の形態にかかる電子体温計の概略構成を示す図である。
【図２】本実施の形態にかかる電子体温計の概略構成の他の例を示す図である。
【図３】本実施の形態にかかる電子体温計の機能ブロック図である。
【図４】電子体温計における測定動作を表わしたフローチャートである。
【図５】電子体温計において、アナウンススイッチが操作されたときの動作の流れを表わしたフローチャートである。
【図６】変形例にかかる電子体温計の概略構成を示す図である。
【図７】変形例にかかる電子体温計の機能ブロック図である。
【発明を実施するための形態】
【００１７】
以下に、図面を参照しつつ、本発明の実施の形態について説明する。以下の説明では、同一の部品および構成要素には同一の符号を付してある。それらの名称および機能も同じである。
【００１８】
＜概略構成＞
図１は、本実施の形態にかかる電子体温計の概略構成を示す図である。図１（Ａ）は、電子体温計の正面図であり、図１（Ｂ）は図１（Ａ）のＡＡ断面図であり、図１（Ｃ）は図１（Ｂ）のＢＢ断面図である。
【００１９】
図１（Ａ）を参照して、本実施の形態にかかる電子体温計１は、内部が中空構造のハウジング１００を備える。ハウジング１００は、表示部１０１や情報出力部であるスピーカ１０３やスイッチ１０２Ａ，１０２Ｂなどが設けられた略直方体の本体部１１０と、使用者の腋下や舌下、直腸などの測定部位に挟みこまれるなどして接触するプローブ部１２０とを含む。プローブ部１２０の先端には、使用者の測定部位の温度を測定するための測温部３００が設けられる。図１（Ｂ）および図１（Ｂ）を参照して、ハウジング１００の内部には、回路基板、電源、などで構成される内部部品４が収容される。
【００２０】
プローブ部１２０は、略直方体の本体部１１０の一方の端部から延びて本体部１１０に対して測温部３００を支持する、内部が中空構造の先細りの棒状部材である。以降の説明において、プローブ部１２０の延びる軸方向を「長手方向」とも称する。
【００２１】
図１（Ａ）を参照して、本体部１１０の長手方向に平行する面には表示部１０１およびスピーカ１０３が設けられる。表示部１０１およびスピーカ１０３は必ずしも同じ面に設けられなくてもよい。以降の説明において、本体部１１０の少なくとも表示部１０１が設けられた面を、「正面」と称する。
【００２２】
図１（Ｂ）および図１（Ｂ）を参照して、プローブ部１２０の先端の測温部３００は、ステンレス材（ＳＵＳ）等からなるキャップ５と、キャップ５の内部に埋設固定されるサーミスタ等の温度センサ６とを含む。温度センサ６は、ハウジング１００内に収容される内部部品４からプローブ部１２０の中空内部を通って延びるリード線４１によって、内部部品４のＣＲ発振回路に電気的に接続される。温度センサ６は、測温部３００の外表面から伝達される熱に応じて抵抗値を変化させ、この抵抗値の変化がＣＲ発振回路に出力される。
【００２３】
なお、図１ではキャップ５を用いることでプローブ部１２０と測温部３００とが別体として形成される例が示されている。しかしながら、キャップ５を用いず、樹脂成型された本体部１１０およびプローブ部１２０と一体成型されてもよい。この場合、本体部１１０とプローブ部１２０と測温部３００とでハウジング１００を構成する。
【００２４】
本体部１１０には、測定の開始および終了を指示するためのＯＮ／ＯＦＦスイッチである第１のスイッチ１０２Ａと、情報出力機能としての音声出力を指示するためのアナウンススイッチである第２のスイッチ１０２Ｂとが設けられる。一例として、第１のスイッチ１０２Ａは、プローブ部１２０および測温部３００が設けられる側と反対側の端部に設けられ、第２のスイッチ１０２Ｂは、第１のスイッチ１０２Ａの設けられた端部、正面、および正面と平行の面のいずれの面とも異なる面、すなわち側面に設けられる。他の例として、第２のスイッチ１０２Ｂが本体部１１０の正面に設けられてもよい。また、他の例として、第１のスイッチ１０２Ａが本体部１１０の側面に設けられてもよい。いずれであっても、第１のスイッチ１０２Ａと第２のスイッチ１０２Ｂとの設けられる面が同一でなく、かつ、平行でなければよい。
【００２５】
さらに、アナウンススイッチである第２のスイッチ１０２Ｂは、長手方向にスピーカ１０３とは一致しない位置に設けられる。好ましくは、第２のスイッチ１０２Ｂは、長手方向に、スピーカ１０３と測温部３００との間に設けられる。このようにすることで、第２のスイッチ１０２Ｂの操作時にスピーカ１０３が指でふさがれることがない。
【００２６】
第１のスイッチ１０２Ａおよび第２のスイッチ１０２Ｂの操作方向は、一例として、いずれも設けられた面に対して直角の方向、すなわちこれらスイッチは押下するタイプのものである。他の例として、これらスイッチの操作方向は設けられた面に対して平行、すなわちこれらスイッチはスライドタイプのものであってもよい。いずれであっても、第１のスイッチ１０２Ａと第２のスイッチ１０２Ｂとの操作方向が一致せず、一方のスイッチの操作方向は長手方向と一致または略一致し、他方のスイッチの操作方向が該一方の操作方向と交差する関係であればよい。
【００２７】
＜概略構成の他の例＞
電子体温計の構成は図１に示されたものに限定されず、他の構成であってもよい。
【００２８】
図２は、本実施の形態にかかる電子体温計の概略構成の他の例を示す図である。他の構成として、本体部１１０の軸方向とプローブ部１２０の軸方向とが交差する、すなわちこれらの方向が一致しておらずに角度を有している構成を示す。図２（Ａ）は、電子体温計の正面図であり、図２（Ｂ）は右側面図であり、図２（Ｃ）は平面図である。
【００２９】
図２（Ａ）を参照して、概略構成の他の例にかかる電子体温計１Ａは、ハウジング１００の幅が、測温部３００から長手方向に沿って徐々に拡幅し、表示部１０１およびスピーカ１０３が設けられる面の位置の幅が最も大きい。ハウジング１００の幅の変化は、表示部１０１およびスピーカ１０３が設けられる面の近傍を人の親指と人差し指とで輪状に保持してハウジング１００全体を握ったときに、手の内側にフィットする程度とする。
【００３０】
図２（Ｂ）を参照して、本体部１１０の軸方向は、プローブ部１２０の軸方向である長手方向に対して、正面に向けて角度を有する。本体部１１０に対して、長手方向と略平行または平行に表示部１０１およびスピーカ１０３を有する面が設けられる。
【００３１】
電子体温計１Ａでは、本体部１１０のプローブ部１２０および測温部３００が設けられる側と反対側の端部に第１のスイッチ１０２Ａが設けられ、本体部１１０の正面の表示部１０１と並ぶ位置に第２のスイッチ１０２Ｂが設けられる。第１のスイッチ１０２ＡがＯＮ／ＯＦＦスイッチ、第２のスイッチ１０２Ｂがアナウンススイッチである。また、本体部１１０の側面に、音量を調節するためのスイッチ１０２’がさらに設けられてもよい。
【００３２】
第１のスイッチ１０２Ａおよび第２のスイッチ１０２Ｂの操作方向は、いずれも設けられた面に対して直角の方向である。すなわち、第１のスイッチ１０２Ａの操作方向は長手方向と略一致するまたは一致する方向、第２のスイッチ１０２Ｂの操作方向は長手方向と直交するまたは略直交する方向である。または、第１のスイッチ１０２Ａの操作方向は本体部１１０の軸方向と一致するまたは略一致する方向であってもよい。
【００３３】
＜機能ブロック＞
図３は、本実施の形態にかかる電子体温計１の機能ブロック図である。この機能ブロック図は、電子体温計１、１Ａ共通である。
【００３４】
図３を参照して、電子体温計１は、機能ブロックとして、制御部１２と、メモリ部１３と、表示部１０１と、スイッチ１０２Ａ，１０２Ｂと、スピーカ１０３と、電源部１７と、温度センサ６とを含む。制御部１２は、たとえば内部部品４の回路基板に搭載されるＣＰＵ（Central Processing Unit）にて構成され、電子体温計１の全体を制御する。メモリ部１３は、たとえば内部部品４に含まれるＲＯＭ（Read-Only Memory）やＲＡＭ（Random-Access Memory）にて構成され、体温測定のための処理手順を制御部１２等に実行させるためのプログラムを記憶したり、測定結果等を記憶したりするために用いられる。
【００３５】
表示部１０１は、たとえばＬＣＤ（Liquid Crystal Display）等の表示パネルにて構成され、測定結果等を表示するために用いられる。スイッチ１０２Ａ，１０２Ｂは、たとえば押し釦にて構成され、使用者による操作を受け付けて操作信号を制御部１２や電源部１７に入力する。スピーカ１０３は、測定中や測定が終了した、などの測定状態、使用者の操作を受け付けたこと、等を使用者に知らせるために用いられる。
【００３６】
電源部１７は、たとえば内部部品４に含まれるボタン電池によって構成され、制御部１２に電源としての電力を供給するために用いられる。制御部１２にて測定動作のためのプログラムを実行していない状態においては、電源部１７は制御部１２に対して該プログラム実行時よりも少ない微小電力を供給している。この状態を、以降、スタンバイ状態と称する。電源部１７はスタンバイ状態において操作信号を受付けると、制御部１２にて測定動作のためのプログラムを実行するために必要な電力を制御部１２に対して供給する。
【００３７】
温度センサ６は、腋下や舌下、直腸等の測定部位に挟み込まれたり挿し込まれたりすることで温度を検出し、検出結果を制御部１２に入力する。
【００３８】
＜制御構成＞
さらに図３を参照して、制御部１２は、時間を計測するためのタイマ１２６と、時間経過に基づいて体温測定の処理を実行するタイミングであるか、音声出力の処理を実行するタイミングであるか、等を判断するための判断部１２１と、温度センサ６からの検出結果を用いて体温を算出する体温測定の処理を実行するための算出部１２２と、算出結果を表示部１０１に表示させる処理を実行するための表示処理部１２３と、算出結果や測定状態を音声出力する処理を実行するための音声処理部１２４とを含む。
【００３９】
これらは、図示しないＣＰＵがＲＯＭ等に記憶されるプログラムを読み出して実行することによって主にＣＰＵ上に形成される機能であってもよいし、一部がハードウェアによって実現される機能であってもよい。
【００４０】
＜測定動作＞
図４は、電子体温計１における測定動作を表わしたフローチャートである。図４のフローチャートに表わされる動作は、図示しないＣＰＵがＲＯＭ等に記憶されるプログラムを読み出して図３の各部を制御することによって実現される。
【００４１】
図４を参照して、図示しないＣＰＵは、スタンバイ状態においていずれかのスイッチの操作による操作信号の入力を検知すると（ステップＳ１０１でＹＥＳ）、ステップＳ１０３で、測定準備として測定動作のためのプログラムを読み出して、その実行を開始する。このときＣＰＵは、好ましくは、表示部１０１で測定開始を表わす表示を行なわせる。また、好ましくは、スピーカ１０３から測定開始を報知する音声を出力させる。
【００４２】
その後、測定完了のための条件が満たされたことが検知されると（ステップＳ１０５でＹＥＳ）、ステップＳ１０７でＣＰＵは、温度センサ６からの検出結果に基づいて体温を算出し、表示部１０１での表示およびスピーカ１０３からの音声出力を行なわせて、算出された体温を示す情報を出力する。なお、ここでの測定完了のための条件は、たとえば測定準備の終了から予め規定した所定の時間の経過であってもよいし、温度センサ６からの検出結果の変化率が所定の値以下となったことでもよい。また、体温の算出は、測定完了時のみならず、測定中も随時行なわれ、測定中の体温を算出して出力するようにしてもよい。
【００４３】
＜音声出力動作＞
図５は、電子体温計１において、アナウンススイッチである第２のスイッチ１０２Ｂが操作されたときの動作の流れを表わしたフローチャートである。図５のフローチャートに表わされる動作もまた、図示しないＣＰＵがＲＯＭ等に記憶されるプログラムを読み出して図３の各部を制御することによって実現される。
【００４４】
図５を参照して、アナウンススイッチの操作による操作信号の入力を検知すると（ステップＳ２００でＹＥＳ）、ＣＰＵは、操作された時点での状態に応じた処理を実行する。すなわち、アナウンススイッチが操作された時点が測定動作のためのプログラムを実行していないスタンバイ状態であった場合には（ステップＳ２０１でＹＥＳ）、ステップＳ２０３でＣＰＵは、図４のフローチャートではＳ１０３で表わされた測定準備を開始し、それが終了すると（ステップＳ２０５でＹＥＳ）、ステップＳ２０７でＣＰＵは、測定準備が完了して測定可能な状態になったことを報知する音声をスピーカ１０３から出力させる。なお、ＣＰＵが測定準備の完了を判断するための方法としては、たとえば、予め測定準備に要する時間を記憶しておき、その時間の経過を検出することで判断することができる。
【００４５】
アナウンススイッチが操作された時点が測定準備中であった場合には（ステップＳ２０１でＮＯ、かつ、Ｓ２０９でＹＥＳ）、ステップＳ２１１でＣＰＵは当該操作信号にしたがった音声出力は行わないものと判断し、音声出力のための処理は実行しない。または、ここでは、現在準備中である旨を報知する音声をスピーカ１０３から出力させてもよい。
【００４６】
アナウンススイッチが操作された時点が測定中であった場合、すなわち、測定準備が完了した後であって、測定完了前であった場合（ステップ２０１，Ｓ２０９でＮＯ、かつＳ２１３でＹＥＳ）、ステップＳ２１５でＣＰＵは、現在の体温や現在測定中である旨を報知する音声をスピーカ１０３から出力させる。なお、測定中は電子体温計１が衣服の下にある場合が多いため、現在の体温や現在測定中である旨を報知する音声が聞き取りにくいこともある。そのため、好ましくは、音声報知の直前に短いメロディ等を鳴らすようにしてもよい。このようにすることで、音声が聞き取りにくい衣服の下に電子体温計１がある場合であっても最初のメロディ音によって使用者の注意を惹くことになり、確実に報知することができる。
【００４７】
アナウンススイッチが操作された時点がそれ以外のタイミングであった場合、すなわち、測定完了後、スタンバイ状態に戻る前の状態であった場合（ステップＳ２０１，Ｓ２０９，Ｓ２１３でＮＯ）、ステップＳ２１７でＣＰＵは、測定結果である算出された体温を報知する音声をスピーカ１０３から出力させる。それに替えて、またはそれと併せて、すでに測定が終了した旨を報知する音声をスピーカ１０３から出力させてもよい。
【００４８】
＜実施の形態の効果＞
電子体温計１では、ＣＰＵが図４の動作を行なうことによって、スタンバイ状態において複数種類備えられるスイッチ１０２Ａ，１０２Ｂのいずれを操作した場合であっても、測定動作のためのプログラムの実行が開始し、測定可能な状態となる。そのため、使用者は、スイッチの種類を区別することなく測定の開始を指示することが可能となる。
【００４９】
また、ＣＰＵが図５の動作を行なうことによって、スタンバイ状態においてスイッチ１０２Ｂが操作されたときに、測定可能な状態となったときにその旨が音声で報知される。また、測定準備中にスイッチ１０２Ｂが操作されても音声出力がなされない、あるいは準備中である旨が音声で報知される。これにより、使用者は、体温測定のためにプローブ部１２０を測定部位に挟みこむ動作を行なうタイミングを音声で知ることができる。そのため、適切なタイミングでプローブ部１２０を測定部位に挟みこむことができ、精度よく体温を測定することができる。
【００５０】
また、ＣＰＵが図５の動作を行なうことによって、測定中にスイッチ１０２Ｂが操作されることで測定中である旨が音声で報知され、測定後には測定結果、あるいは測定が完了した旨が音声で報知される。これにより、使用者は、電子体温計１を測定部位に挟みこんだ測定姿勢のまま、測定中であるのかすでに測定が完了しているのかをスイッチ１０２Ｂの操作で音声で知ることができる。そのため、測定中に電子体温計１を測定部位から離して測定状態を確認する必要がなくなり、測定結果へ影響を与えることなく測定状態を確認することができる。
【００５１】
なお、電子体温計１は図１または図２に示された構成であることによって、アナウンススイッチであるスイッチ１０２Ｂの操作方向は、測定部位に挟みこまれたプローブ部１２０の軸方向である長手方向とは交差する方向となっている。そのため、測定中にスイッチ１０２Ｂを操作した場合であっても電子体温計１が長手方向に移動して挟みこまれた測定部位から測温部３００がずれることを防止できる。これにより、測定結果へ影響を与えることなく音声出力を行なわせることができる。
【００５２】
さらに、スイッチ１０２ＢはＯＮ／ＯＦＦスイッチであるスイッチ１０２Ａとは操作方向が異なるように設けられている。そのため、測定中にスイッチ１０２Ｂを操作するところを誤ってスイッチ１０２Ａを操作して測定を終了させてしまう、ということがなくなる。このような誤操作がなされると、再度測定動作を行なう必要があり、より電池が消耗される。従って、この構成によって誤操作を防止でき、電池の消耗を抑えることができる。これは、電池交換の頻度を低減させることにもつながり、使用者の利便性を大いに向上させることができる。
【００５３】
＜変形例＞
以上の説明では情報出力機能として音声出力を行なう例が示されているが、音声出力に替えて（または加えて）、データ出力を行なってもよい。この場合、電子体温計には、アナウンススイッチに替えて（または加えて）、測定結果のデータ送信を指示するための送信スイッチが設けられる。
【００５４】
図６は、変形例にかかる電子体温計１Ｂの概略構成を示す図であって、電子体温計１Ｂの正面図である。
【００５５】
図６を参照して、電子体温計１Ｂの本体部１１０には、他の装置とデータ通信するための送受信部１０５が設けられる。データ通信の方法は特定の方法には限定されない。たとえば赤外線通信やＢｌｕｅｔｏｏｔｈ（登録商標）を利用した通信などが挙げられる。
【００５６】
送受信部１０５は、好ましくは、本体部１１０のプローブ部１２０および測温部３００が設けられる側の反対側よりに設けられる。このような位置とすることで、使用者はプローブ部１２０付近を手で保持した状態で送受信部１０５を通信相手の装置に向けることが可能となる。
【００５７】
本体部１１０には、ＯＮ／ＯＦＦスイッチである第１のスイッチ１０２Ａと送信スイッチである第３のスイッチ１０２Ｃとが設けられる。一例として、第１のスイッチ１０２Ａは、プローブ部１２０および測温部３００が設けられる側と反対側の端部に設けられ、第３のスイッチ１０２Ｃは本体部１１０の正面に設けられる。他の例として、第３のスイッチ１０２Ｃは、本体部１１０の側面に設けられてもよい。
【００５８】
送信スイッチである第３のスイッチ１０２Ｃは、長手方向に送受信部１０５とは一致しない位置に設けられる。好ましくは、第３のスイッチ１０２Ｃは、長手方向に、送受信部１０５よりも測温部３００に近い側に設けられる。このようにすることで、第３のスイッチ１０２Ｃの操作時に送受信部１０５が指でふさがれることがない。
【００５９】
第１のスイッチ１０２Ａの操作方向は長手方向と一致または略一致し、第３のスイッチ１０２Ｃの操作方向は長手方向と交差する方向である。
【００６０】
なお、電子体温計１Ｂには、アナウンススイッチである第２のスイッチ１０２Ｂがさらに設けられてもよい。また、電子体温計１Ｂは図２に表わされたような構成であってもよい。また、第２のスイッチと第３のスイッチとは、その機能に応じて配置を図示したものとは逆になるよう入れ替えてもよい。
【００６１】
図７は、電子体温計１Ｂの機能ブロック図である。図７を参照して、電子体温計１Ｂは、機能ブロックとして、図３に示された機能に加えて、送受信部１０５を含んで他の装置とデータを送受信するための通信部１８をさらに含む。制御部１２には、通信部１８でデータを送受信する通信処理を実行するための通信処理部１２５がさらに含まれる。
【００６２】
そして、図示しないＣＰＵは、第３のスイッチ１０２Ｃの操作による操作信号の入力を検知すると、送信対象としてメモリ部１３からデータを読み出して送受信部１０５から出力したり、他の装置から送受信部１０５でデータを受信してメモリ部１３の所定領域に格納したりする処理を実行する。
【００６３】
このような構成の電子体温計１Ｂにおいても、スイッチ１０２ＣがＯＮ／ＯＦＦスイッチであるスイッチ１０２Ａとは操作方向が異なるように設けられているため、データ送受信のためにスイッチ１０２Ｃを操作するところを誤ってスイッチ１０２Ａを操作して測定動作を開始させてしまう、ということがなくなる。このような誤操作によっても、より電池が消耗される。従って、この構成によって誤操作を防止でき、電池の消耗を抑えることができる。
【００６４】
また、他の例として、図示しないＣＰＵは、スイッチ１０２Ｃからの操作信号をスイッチ１０２Ｂからの操作信号と同様に扱って図４、図５の動作を行なってもよい。すなわち、ＣＰＵは、スタンバイ状態においてスイッチ１０２Ａ，１０２Ｃのいずれからの操作信号の入力が検知されたときにも、測定動作のためのプログラムの実行が開始してもよい。これにより、使用者は、スイッチの種類を区別することなく測定の開始を指示することが可能となる。
【００６５】
また、ＣＰＵは、スタンバイ状態においてスイッチ１０２Ｃが操作されたときに、測定可能な状態となったときにその旨を示すデータおよび表示をさせるための制御信号を送受信部１０５から出力させてもよい。このとき、通信範囲内にたとえばテレビジョン受像機などの表示装置が存在する場合、測定可能な状態となったことを示す画面が表示される。これにより、使用者は、体温測定のためにプローブ部１２０を測定部位に挟みこむ動作を行なうタイミングを該表示装置での表示で知ることができる。これは、使用者が、表示部１０１の表示が小さく見にくい場合や、表示部１０１の表示が見えにくい体勢である場合に、より大きい表示画面でプローブ部１２０を測定部位に挟みこむ動作を行なうタイミングを知ることを可能とする。
【００６６】
また、ＣＰＵは、測定中にスイッチ１０２Ｃが操作されることで、測定中である旨を示すデータおよび表示をさせるための制御信号を送受信部１０５から出力させてもよい。また、測定完了時あるいは測定完了後にスイッチ１０２Ｃが操作されることで、測定結果、あるいは測定が完了した旨を示すデータおよび表示をさせるための制御信号を送受信部１０５から出力させてもよい。これにより、使用者は、電子体温計１を測定部位に挟みこんだ測定姿勢のまま、通信範囲内にあるたとえばテレビジョン受像機などの表示装置にて測定中であるのかすでに測定が完了しているのか、あるいは測定結果を知ることができる。そのため、測定中に電子体温計１を測定部位から離して測定状態を確認する必要がなくなり、測定結果へ影響を与えることなく測定状態を確認することができる。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６８】
１，１Ａ，１Ｂ  電子体温計、４  内部部品、５  キャップ、６  温度センサ、１２  制御部、１３  メモリ部、１７  電源部、１８  通信部、４１  リード線、１００  ハウジング、１０１  表示部、１０２Ａ  第１のスイッチ、１０２Ｂ  第２のスイッチ、１０２Ｃ  第３のスイッチ、１０２’  音量を調節するためのスイッチ、１０３  スピーカ、１０５  送受信部、１１０  本体部、１２０  プローブ部、１２１  判断部、１２２  算出部、１２３  表示処理部、１２４  音声処理部、１２５  通信処理部、１２６  タイマ、３００  測温部。
【図１】
2012063304.tif 000003
【図２】
2012063304.tif 000004
【図３】
2012063304.tif 000005
【図４】
2012063304.tif 000006
【図５】
2012063304.tif 000007
【図６】
2012063304.tif 000008
【図７】
2012063304.tif 000009